(57)【特許請求の範囲】
【請求項１】
放送コンテンツに外部の素材コンテンツ提供装置から取得する素材コンテンツを組み合わせて再生するコンテンツ再生装置であって、
前記放送コンテンツを記憶する放送コンテンツ記憶部と、
前記放送コンテンツと前記放送コンテンツに組み込まれもしくは追加されまたは部分的に置換される前記素材コンテンツとの再生順序を示す情報と、前記放送コンテンツおよび前記素材コンテンツを特定する情報とを含む組み合わせ方法記述データを、外部の組み合わせ方法記述データ提供装置から取得する組み合わせ方法記述データ取得部と、
前記組み合わせ方法記述データ取得部が取得した前記組み合わせ方法記述データに基づいて、前記素材コンテンツ提供装置に対する前記素材コンテンツの取得要求を示す素材コンテンツ要求信号を発生するとともに、前記再生順序を示す情報に基づき前記放送コンテンツおよび前記素材コンテンツの再生を選択的に制御する組み合わせ再生制御部と、
前記組み合わせ再生制御部が発生した前記素材コンテンツ要求信号を前記素材コンテンツ提供装置に送信する素材コンテンツ要求信号送信部と、
前記素材コンテンツ要求信号に対応して前記素材コンテンツ提供装置から供給される前記素材コンテンツを受信する素材コンテンツ受信部と、
前記素材コンテンツ受信部が受信した前記素材コンテンツを記憶する素材コンテンツ記憶部と、
前記組み合わせ再生制御部による前記放送コンテンツの再生制御により、前記放送コンテンツ記憶部から前記放送コンテンツを読み込んで再生する放送コンテンツ再生部と、
前記組み合わせ再生制御部による前記素材コンテンツの再生制御により、前記素材コンテンツ記憶部から前記素材コンテンツを読み込んで再生する素材コンテンツ再生部と、
前記放送コンテンツに対応する組み合わせ方法記述データの概要を表すリストを要求するリスト要求信号を前記組み合わせ方法記述データ提供装置に送信するリスト要求信号送信部と、
前記リスト要求信号に対応して前記組み合わせ方法記述データ提供装置から供給されるリストを受信するリスト受信部と、
当該コンテンツ再生装置が過去に再生した放送コンテンツのジャンル情報を含む視聴履歴情報を記憶する視聴履歴記憶部と、
を備え、
前記組み合わせ方法記述データ取得部は、前記リスト受信部が受信した前記リストにしたがって指定された組み合わせ方法記述ファイルを前記組み合わせ方法記述データ提供装置から取得し、
前記リスト要求信号送信部は、前記視聴履歴記憶部に記憶された前記視聴履歴情報を前記リスト要求信号に含めて送信し、
前記リスト受信部は、前記組み合わせ方法記述データ提供装置が前記視聴履歴情報に基づいて作成して供給したリストを受信する
ことを特徴とするコンテンツ再生装置。
【請求項２】
前記組み合わせ方法記述データを所定の組み合わせ再生条件に合致するように変換する記述データ変換部をさらに備え、
前記組み合わせ再生制御部は、前記組み合わせ方法記述データ取得部が取得した前記組み合わせ方法記述データと予め記憶する前記所定の組み合わせ再生条件とを前記記述データ変換部に供給し、前記記述データ変換部から変換後の組み合わせ方法記述データを取得する
ことを特徴とする請求項１記載のコンテンツ再生装置。
【請求項３】
外部のコンテンツ再生装置が放送コンテンツに外部の素材コンテンツ提供装置から取得する素材コンテンツを組み合わせて再生するための組み合わせ方法記述ファイルを生成する、組み合わせ方法記述データ提供装置であって、
前記放送コンテンツと前記放送コンテンツに組み込まれもしくは追加されまたは部分的に置換される前記素材コンテンツとの再生順序を示す情報と、前記放送コンテンツおよび前記素材コンテンツを特定する情報とを含む組み合わせ方法記述データのファイルを格納する記述ファイル格納部と、
前記記述ファイル格納部に格納された前記組み合わせ方法記述データに対応させて、組み合わせ方法記述データの概要を示すサマリデータのファイルを格納するサマリファイル格納部と、
前記コンテンツ再生装置から送信された、再生すべき放送コンテンツに対応する組み合わせ方法記述データの概要を表すリストを要求するリスト要求信号を受信するリスト要求信号受信部と、
前記リスト要求信号受信部が受信した前記リスト要求信号に基づいて、前記サマリファイル格納部からサマリデータを読み込んでリストを作成するリスト作成部と、
前記リスト作成部が作成した前記リストを前記コンテンツ再生装置に送信するリスト送信部と、
前記コンテンツ再生装置から送信された、前記リストに従って指定された組み合わせ方法記述ファイルを要求する記述ファイル要求信号を受信する記述ファイル要求信号受信部と、
前記記述ファイル要求信号受信部が受信した前記記述ファイル要求信号に基づいて、前記記述ファイル格納部から組み合わせ方法記述ファイルを取得する記述ファイル取得部と、
前記記述ファイル取得部が取得した前記組み合わせ方法記述ファイルを前記コンテンツ再生装置に送信する記述ファイル送信部と、
前記外部のコンテンツ再生装置が過去に再生した放送コンテンツのジャンル情報を含む視聴履歴情報を格納する視聴履歴格納部と、
前記リスト要求信号受信部が受信した前記リスト要求信号に基づいて、前記視聴履歴格納部に格納された前記視聴履歴情報から番組の特徴を抽出する特徴抽出部と、
を備え、
前記リスト作成部は、前記リスト要求信号受信部が受信した前記リスト要求信号に基づいて、前記サマリファイル格納部からサマリデータを読み込むとともに前記特徴抽出部から前記番組の特徴を取得し、前記番組の特徴に応じて前記サマリデータのリストを作成する
ことを特徴とする組み合わせ方法記述データ提供装置。
【発明の詳細な説明】
【技術分野】
【０００１】
本発明は、録画した放送コンテンツと外部から取得した素材コンテンツとを組み合わせてまとまりのある視聴コンテンツを生成する、コンテンツ再生装置および組み合わせ方法記述データ提供装置に関する。
【背景技術】
【０００２】
放送のデジタル化とインターネットのブロードバンド化とに伴い、放送および通信による基盤を共に利用したサービスやＡＶ（Ａｕｄｉｏ  Ｖｉｓｕａｌ）機器が提供されている。
例えば、デジタル放送の放送波を受信し、この受信した放送信号に含まれる番組データを記録し再生する機能と、ネットワークを介してＶＯＤ（Ｖｉｄｅｏ  Ｏｎ  Ｄｅｍａｎｄ）サービス提供サーバから配信される動画コンテンツを受信して記録し再生する機能とを備えた映像記録再生装置が知られている（例えば、特許文献１参照）。
【先行技術文献】
【特許文献】
【０００３】
【特許文献１】特開２００９−２８４３４５号公報
【発明の概要】
【発明が解決しようとする課題】
【０００４】
放送と通信とを融合させたサービスにおいて、録画した放送番組コンテンツにネットワーク経由で取得した素材コンテンツを組み合わせ、一つのまとまった視聴コンテンツとして再生させる技術が望まれている。しかしながら、放送波から取得した放送番組コンテンツを記録し再生する機能と、ネットワーク経由で取得した配信コンテンツを記録し再生する機能とを備えた従来の映像記録再生装置は、放送番組コンテンツと配信コンテンツとを別個に再生するものであり、上記の放送と通信とを融合させたサービスにおいて期待される技術を実現するものではない。
本発明は、上記事情に鑑みてなされたものであり、記憶した放送コンテンツに外部の素材コンテンツ提供装置から取得した素材コンテンツを組み合わせて所望の内容に充実させた視聴コンテンツを生成する、コンテンツ再生装置および組み合わせ方法記述データ提供装置を提供することを目的とする。
【課題を解決するための手段】
【０００５】
［１］上記の課題を解決するため、本発明の一態様であるコンテンツ再生装置は、放送コンテンツに外部の素材コンテンツ提供装置から取得する素材コンテンツを組み合わせて再生するコンテンツ再生装置であって、前記放送コンテンツを記憶する放送コンテンツ記憶部と、前記放送コンテンツと前記放送コンテンツに組み込まれもしくは追加されまたは部分的に置換される前記素材コンテンツとの再生順序を示す情報と、前記放送コンテンツおよび前記素材コンテンツを特定する情報とを含む組み合わせ方法記述データを、外部の組み合わせ方法記述データ提供装置から取得する組み合わせ方法記述データ取得部と、前記組み合わせ方法記述データ取得部が取得した前記組み合わせ方法記述データに基づいて、前記素材コンテンツ提供装置に対する前記素材コンテンツの取得要求を示す素材コンテンツ要求信号を発生するとともに、前記再生順序を示す情報に基づき前記放送コンテンツおよび前記素材コンテンツの再生を選択的に制御する組み合わせ再生制御部と、前記組み合わせ再生制御部が発生した前記素材コンテンツ要求信号を前記素材コンテンツ提供装置に送信する素材コンテンツ要求信号送信部と、前記素材コンテンツ要求信号に対応して前記素材コンテンツ提供装置から供給される前記素材コンテンツを受信する素材コンテンツ受信部と、前記素材コンテンツ受信部が受信した前記素材コンテンツを記憶する素材コンテンツ記憶部と、前記組み合わせ再生制御部による前記放送コンテンツの再生制御により、前記放送コンテンツ記憶部から前記放送コンテンツを読み込んで再生する放送コンテンツ再生部と、前記組み合わせ再生制御部による前記素材コンテンツの再生制御により、前記素材コンテンツ記憶部から前記素材コンテンツを読み込んで再生する素材コンテンツ再生部と、前記放送コンテンツに対応する組み合わせ方法記述データの概要を表すリストを要求するリスト要求信号を前記組み合わせ方法記述データ提供装置に送信するリスト要求信号送信部と、前記リスト要求信号に対応して前記組み合わせ方法記述データ提供装置から供給されるリストを受信するリスト受信部と、当該コンテンツ再生装置が過去に再生した放送コンテンツのジャンル情報を含む視聴履歴情報を記憶する視聴履歴記憶部と、を備え、前記組み合わせ方法記述データ取得部は、前記リスト受信部が受信した前記リストにしたがって指定された組み合わせ方法記述ファイルを前記組み合わせ方法記述データ提供装置から取得し、前記リスト要求信号送信部は、前記視聴履歴記憶部に記憶された前記視聴履歴情報を前記リスト要求信号に含めて送信し、前記リスト受信部は、前記組み合わせ方法記述データ提供装置が前記視聴履歴情報に基づいて作成して供給したリストを受信することを特徴とする。
このように構成したことにより、本発明の一態様であるコンテンツ再生装置は、記憶されている放送コンテンツを用いて素材コンテンツとの組み合わせ再生を行う場合に、その放送コンテンツに関する組み合わせ方法記述ファイルを組み合わせ方法記述データ提供装置から取得し、その組み合わせ方法記述データに基づいて放送コンテンツと素材コンテンツとの組み合わせ再生を開始する。この組み合わせ再生では、コンテンツ再生装置は、組み合わせ方法記述データに基づいて、放送コンテンツの再生と、素材コンテンツ提供装置からの素材コンテンツの取得と、この取得した素材コンテンツの再生とを行うことによって、放送コンテンツと素材コンテンツとを組み合わせた視聴コンテンツを再生する。
【０００６】
［２］上記［１］記載のコンテンツ再生装置において、前記組み合わせ方法記述データを所定の組み合わせ再生条件に合致するように変換する記述データ変換部をさらに備え、前記組み合わせ再生制御部は、前記組み合わせ方法記述データ取得部が取得した前記組み合わせ方法記述データと予め記憶する前記所定の組み合わせ再生条件とを前記記述データ変換部に供給し、前記記述データ変換部から変換後の組み合わせ方法記述データを取得することを特徴とする。
【０００７】
［３］上記の課題を解決するため、本発明の一態様である組み合わせ方法記述データ提供装置は、外部のコンテンツ再生装置が放送コンテンツに外部の素材コンテンツ提供装置から取得する素材コンテンツを組み合わせて再生するための組み合わせ方法記述ファイルを生成する、組み合わせ方法記述データ提供装置であって、前記放送コンテンツと前記放送コンテンツに組み込まれもしくは追加されまたは部分的に置換される前記素材コンテンツとの再生順序を示す情報と、前記放送コンテンツおよび前記素材コンテンツを特定する情報とを含む組み合わせ方法記述データのファイルを格納する記述ファイル格納部と、前記記述ファイル格納部に格納された前記組み合わせ方法記述データに対応させて、組み合わせ方法記述データの概要を示すサマリデータのファイルを格納するサマリファイル格納部と、前記コンテンツ再生装置から送信された、再生すべき放送コンテンツに対応する組み合わせ方法記述データの概要を表すリストを要求するリスト要求信号を受信するリスト要求信号受信部と、前記リスト要求信号受信部が受信した前記リスト要求信号に基づいて、前記サマリファイル格納部からサマリデータを読み込んでリストを作成するリスト作成部と、前記リスト作成部が作成した前記リストを前記コンテンツ再生装置に送信するリスト送信部と、前記コンテンツ再生装置から送信された、前記リストに従って指定された組み合わせ方法記述ファイルを要求する記述ファイル要求信号を受信する記述ファイル要求信号受信部と、前記記述ファイル要求信号受信部が受信した前記記述ファイル要求信号に基づいて、前記記述ファイル格納部から組み合わせ方法記述ファイルを取得する記述ファイル取得部と、前記記述ファイル取得部が取得した前記組み合わせ方法記述ファイルを前記コンテンツ再生装置に送信する記述ファイル送信部と、前記外部のコンテンツ再生装置が過去に再生した放送コンテンツのジャンル情報を含む視聴履歴情報を格納する視聴履歴格納部と、前記リスト要求信号受信部が受信した前記リスト要求信号に基づいて、前記視聴履歴格納部に格納された前記視聴履歴情報から番組の特徴を抽出する特徴抽出部と、を備え、前記リスト作成部は、前記リスト要求信号受信部が受信した前記リスト要求信号に基づいて、前記サマリファイル格納部からサマリデータを読み込むとともに前記特徴抽出部から前記番組の特徴を取得し、前記番組の特徴に応じて前記サマリデータのリストを作成することを特徴とする。
【発明の効果】
【０００９】
本発明によれば、記憶した放送コンテンツに外部の素材コンテンツ提供装置から取得した素材コンテンツを組み合わせて、所望の内容に充実させた視聴コンテンツを生成することができる。
【図面の簡単な説明】
【００１０】
【図１】本発明の第１実施形態であるコンテンツ再生装置および組み合わせ方法記述データ提供装置を適用した放送・配信システムの概略の構成図である。
【図２】同実施形態におけるコンテンツ記録再生装置の機能構成を示すブロック図である。
【図３】同実施形態における組み合わせ方法記述ファイルサーバの機能構成を示すブロック図である。
【図４】放送コンテンツのシーン構成を説明するための図である。
【図５】サマリファイルのデータ構成の例を示す図である。
【図６】組み合わせ方法記述データのデータ構成の第１の例を示す図である。
【図７】同実施形態において、コンテンツ記録再生装置が、図４に示すシーン構成を有する放送コンテンツに、図６に示す組み合わせ方法記述データを適用して組み合わせ再生を行う場合の、組み合わせシーン構成を説明するための図である。
【図８】組み合わせ方法記述データのデータ構成の第２の例を示す図である。
【図９】同実施形態において、コンテンツ記録再生装置が、図４に示すシーン構成を有する放送コンテンツに、図８に示す組み合わせ方法記述データを適用して組み合わせ再生を行う場合の、組み合わせシーン構成を表す図である。
【図１０】同実施形態において、コンテンツ記録再生装置と組み合わせ方法記述ファイルサーバとによる組み合わせ方法記述ファイル取得処理の処理手順を示すフローチャートである。
【図１１】同実施形態において、コンテンツ記録再生装置による組み合わせ再生処理の処理手順を示すフローチャートである。
【図１２】同実施形態において、コンテンツ記録再生装置と素材コンテンツサーバとによる素材コンテンツ取得処理の処理手順を示すフローチャートである。
【図１３】本発明の第２実施形態であるコンテンツ再生装置を適用したコンテンツ記録再生装置の機能構成を示すブロック図である。
【図１４】同実施形態である組み合わせ方法記述データ提供装置を適用した組み合わせ方法記述ファイルサーバの機能構成を示すブロック図である。
【図１５】視聴履歴情報のデータ構成例を示す図である。
【図１６】本発明の第３実施形態である組み合わせ方法記述データ提供装置を適用した組み合わせ方法記述ファイルサーバの機能構成を示すブロック図である。
【図１７】本発明の第４実施形態であるコンテンツ再生装置を適用したコンテンツ記録再生装置の機能構成を示すブロック図である。
【図１８】同実施形態において、コンテンツ記録再生装置が、図４に示すシーン構成を有する放送コンテンツに、図８に示す組み合わせ方法記述データを適用して組み合わせ再生を行う場合の、組み合わせシーン構成を表す図である。
【図１９】別の例である放送・配信システムの概略の構成図である。
【図２０】別の例である放送・配信システムの概略の構成図である。
【発明を実施するための形態】
【００１１】
以下、本発明を実施するための形態について、図面を参照して詳細に説明する。
［第１の実施の形態］
図１は、本発明の第１実施形態であるコンテンツ再生装置および組み合わせ方法記述データ提供装置を適用した放送・配信システムの概略の構成図である。同図に示すように、放送・配信システムは、コンテンツ記録再生装置１と、映像音声出力装置２と、ネットワーク３と、局内ネットワーク４と、ファイアウォール５と、ファイアウォール６と、組み合わせ方法記述ファイルサーバ７と、素材コンテンツサーバ（素材コンテンツ提供装置）８と、放送システム９と、放送アンテナ１０とを含んで構成される。なお、同図の構成図においては、ファイアウォールを「ＦＷ」と略記する。
【００１２】
本実施形態であるコンテンツ再生装置は、コンテンツ記録再生装置１に含まれ、本実施形態である組み合わせ方法記述データ提供装置は、組み合わせ方法記述ファイルサーバ７に含まれる。
【００１３】
コンテンツ記録再生装置１と映像音声出力装置２とは、視聴者宅Ｖに設置されている。また、局内ネットワーク４とファイアウォール５とファイアウォール６と組み合わせ方法記述ファイルサーバ７と素材コンテンツサーバ８と放送システム９と放送アンテナ１０とは、放送局Ｂの施設内および管理区域内に設置されている。
ネットワーク３は、コンピュータネットワークであり、例えばインターネットである。
【００１４】
コンテンツ記録再生装置１は、放送局Ｂが放送する放送番組のうち所望の番組の放送コンテンツを録画（記録）する。つまり、放送局Ｂの放送アンテナ１０から送信された放送電波ｗが、視聴者宅Ｖの受信アンテナ（不図示）で受信されて放送信号に復調され、この放送信号がコンテンツ記録再生装置１に供給されると、コンテンツ記録再生装置１は、その放送信号を受信し、所望の番組の放送コンテンツを取得して記録する。放送コンテンツは、番組識別情報である番組ＩＤ（Ｉｄｅｎｔｉｆｉｅｒ）と、番組の映像データおよび音声データであるコンテンツデータとを含む。
【００１５】
また、コンテンツ記録再生装置１は、録画した放送コンテンツを読み出して再生する場合に、組み合わせ方法記述ファイルサーバ７から組み合わせ方法記述ファイルを取得する。
組み合わせ方法記述ファイルは、放送コンテンツと素材コンテンツとの組み合わせ方法を記述した組み合わせ方法記述データのファイルである。組み合わせ方法記述ファイルは、当該組み合わせ方法記述ファイルの識別情報であるファイルＩＤにより識別される。組み合わせ方法記述データは、放送コンテンツとこの放送コンテンツに組み込まれもしくは追加されまたは部分的に置換される素材コンテンツとの再生順序を示す情報と、放送コンテンツおよび素材コンテンツを特定する情報と、放送コンテンツおよび素材コンテンツの再生時間範囲を特定する情報とを含む。素材コンテンツは、ネットワーク３経由で取得可能な映像および音声またはいずれか一方のコンテンツデータである。再生順序を示す情報は、放送コンテンツおよび素材コンテンツの再生順番を表す番号である。放送コンテンツおよび素材コンテンツを特定する情報は、放送コンテンツについては番組ＩＤであり、素材コンテンツについてはネットワーク３における当該素材コンテンツを格納するホストおよび当該素材コンテンツを特定する情報であり、例えばＵＲＬ（Ｕｎｉｆｏｒｍ  Ｒｅｓｏｕｒｃｅ  Ｌｏｃａｔｏｒ）である。本実施形態では、素材コンテンツを特定する情報は、素材コンテンツサーバ８をホストとするＵＲＬである。放送コンテンツおよび素材コンテンツの再生時間範囲を特定する情報は、放送コンテンツの再生開始時刻および再生停止時刻と、素材コンテンツの再生時間長である。組み合わせ方法記述ファイルの具体例については後述する。
【００１６】
コンテンツ記録再生装置１は、録画した放送番組の再生に際し、組み合わせ方法記述データに基づいて素材コンテンツサーバ８から素材コンテンツを取得し、放送コンテンツに組み込みもしくは追加しまたは部分的に置換して、まとまりのある視聴コンテンツとして再生する。そして、コンテンツ記録再生装置１は、再生して得られる映像信号および音声信号を映像音声出力装置２に供給する。
【００１７】
映像音声出力装置２は、コンテンツ記録再生装置１から供給される映像信号および音声信号を受信し、図示しない画像表示部に映像を表示するとともに、図示しない音声出力部から音声を出力する。映像音声出力装置２は、例えばスピーカ内蔵の液晶テレビである。
【００１８】
局内ネットワーク４は、放送局Ｂが管理するＬＡＮ（Ｌｏｃａｌ  Ａｒｅａ  Ｎｅｔｗｏｒｋ）である。局内ネットワーク４は、ファイアウォール５を介してネットワーク３に接続されるとともに、ファイアウォール６を介して放送システム９に接続される。局内ネットワーク４には、公開サーバである組み合わせ方法記述ファイルサーバ７および素材コンテンツサーバ８が接続される。
ファイアウォール５は、その一方の通信インタフェースをネットワーク３に接続するとともに、その他方の通信インタフェースを局内ネットワーク４に接続する。そして、ファイアウォール５は、ネットワーク３側から局内ネットワーク４側への不正アクセスをブロックするようアクセス制御を行う。
ファイアウォール６は、その一方の通信インタフェースを局内ネットワーク４に接続するとともに、その他方の通信インタフェースを放送システム９に接続する。そして、ファイアウォール６は、局内ネットワーク４側から放送システム９への不正アクセスをブロックするようアクセス制御を行う。
【００１９】
つまり、視聴者宅Ｖのコンテンツ記録再生装置１と放送局Ｂの放送システム９との両方からアクセス可能な組み合わせ方法記述ファイルサーバ７および素材コンテンツサーバ８が局内ネットワーク４上に設けられ、局内ネットワーク４がネットワーク３と放送システム９との両方からセキュアに区分されることにより、放送システム９はセキュリティに関する安全性を確保する。
【００２０】
なお、図１における放送・配信システムのネットワーク構成は一例であり、この構成に限定されるものではない。
【００２１】
組み合わせ方法記述ファイルサーバ７は、放送システム９または図示しない編集システム等からファイアウォール６を介して供給される複数の組み合わせ方法記述ファイルを格納する。そして、組み合わせ方法記述ファイルサーバ７は、コンテンツ記録再生装置１からの要求に基づき組み合わせ方法記述ファイルを読み出して、コンテンツ記録再生装置１に供給する。
素材コンテンツサーバ８は、放送システム９または図示しない編集システム等からファイアウォール６を介して供給される複数の素材コンテンツを格納する。これらの素材コンテンツは、例えば、本放送に使用されなかったカットやシーンの素材コンテンツである。そして、素材コンテンツサーバ８は、コンテンツ記録再生装置１からの素材コンテンツの取得要求に基づいて、素材コンテンツを読み出してコンテンツ記録再生装置１に供給する。
【００２２】
放送システム９は、映像および音声の編集等により制作された放送用のコンテンツデータと放送用に付与された番組ＩＤとを含む放送コンテンツを生成する。また、放送システム９は、放送コンテンツに対応するＥＰＧ（Ｅｌｅｃｔｒｏｎｉｃ  Ｐｒｏｇｒａｍ  Ｇｕｉｄｅ，電子番組ガイド）を生成する。そして、放送システム９は、放送コンテンツおよびＥＰＧの情報を放送信号に変換して放送アンテナ１０に供給する。
放送アンテナ１０は、放送信号を放送電波ｗとして送信するものであり、電波塔等に設けられる。なお、図１において、放送アンテナ１０は、放送局Ｂに含まれるものとして表されているが、実際は、放送アンテナ１０が放送局Ｂから独立して離間設置されてもよい。
【００２３】
次に、コンテンツ記録再生装置１の構成について説明する。図２は、コンテンツ記録再生装置１の機能構成を示すブロック図である。同図に示すように、コンテンツ記録再生装置１は、操作信号受信部１０１と、操作制御部１０２と、放送コンテンツ記憶管理部１０３と、放送信号受信部１０４と、放送コンテンツ記憶部１０５と、組み合わせ再生制御部１０６と、リスト要求信号送信部１０７と、リスト受信部１０８と、記述ファイル要求信号送信部１０９と、記述ファイル受信部１１０と、記述ファイル記憶部１１１と、素材コンテンツ要求信号送信部１１２と、素材コンテンツ受信部１１３と、素材コンテンツ記憶部１１４と、放送コンテンツ再生部１１５と、放送コンテンツ再生監視部１１６と、素材コンテンツ再生部１１７と、素材コンテンツ再生監視部１１８と、再生出力切換部１１９と、映像音声出力部１２０とを備える。
【００２４】
操作信号受信部１０１は、視聴者による図示しない操作部の操作にしたがってその操作部が送信する操作信号を受信し、その操作信号に含まれるコードを操作制御部１０２に供給する。操作部は、例えば、リモコン装置、またはコンテンツ記録再生装置１の前面部等に設けられた操作パネル回路である。
【００２５】
操作制御部１０２は、操作信号受信部１０１から供給されるコードに基づいて、コンテンツ記録再生装置１内部の操作制御を行う。例えば、操作制御部１０２は、コードに基づいて、放送コンテンツの録画予約の操作制御と、放送コンテンツの選択の操作制御と、放送コンテンツおよび素材コンテンツの組み合わせ再生の操作制御とを行う。
また、操作制御部１０２は、視聴者にコンテンツ記録再生装置１を操作させるための操作用メニュー画像データをコードに基づいて生成し、その操作用メニュー画像データを映像音声出力部１２０に供給する。
【００２６】
放送コンテンツ記憶管理部１０３は、操作制御部１０２の録画予約の操作制御によって放送信号受信部１０４および放送コンテンツ記憶部１０５を制御し、放送コンテンツの録画を行う。具体的には、放送コンテンツ記憶管理部１０３は、操作制御部１０２から供給される録画予約情報に基づいて、予約録画開始時刻から予約録画終了時刻までの間、放送信号受信部１０４が受信する放送信号から指定チャンネルの放送コンテンツとＥＰＧの情報とを放送コンテンツ記憶部１０５に記憶させる。そして、放送コンテンツ記憶管理部１０３は、録画した放送コンテンツから番組ＩＤを抽出し、その番組ＩＤを録画した放送コンテンツに対応付けて放送コンテンツ記憶管理部１０３に記憶する。
また、放送コンテンツ記憶管理部１０３は、操作制御部１０２の放送コンテンツの選択の操作制御によって、記憶された番組ＩＤを操作制御部１０２に供給する。
【００２７】
放送信号受信部１０４は、受信アンテナから供給される放送信号を受信し、放送コンテンツ記憶管理部１０３の制御に基づいて指定チャンネルの放送コンテンツとＥＰＧの情報とを放送コンテンツ記憶部１０５に供給する。
放送コンテンツ記憶部１０５は、放送コンテンツ記憶管理部１０３の制御に基づいて、放送信号受信部１０４から供給される放送コンテンツとＥＰＧの情報とを記憶する。放送コンテンツ記憶部１０５は、例えば磁気ハードディスク装置である。また、ＥＰＧの情報はメモリ等の半導体記憶装置に記憶させてもよい。
【００２８】
組み合わせ再生制御部１０６は、操作制御部１０２の組み合わせ再生の操作制御により、リスト要求信号を生成してリスト要求信号送信部１０７に供給する。具体的には、組み合わせ再生制御部１０６は、操作制御部１０２から放送コンテンツの番組ＩＤと組み合わせ再生指示との供給を受けると、その番組ＩＤを含めたリスト要求信号を生成してリスト要求信号送信部１０７に供給する。
また、組み合わせ再生制御部１０６は、リスト受信部１０８から供給されるリストを取り込んで操作制御部１０２に供給する。リストは、対応するリスト要求信号に含まれる番組ＩＤに対応する組み合わせ方法記述ファイルの概要等の一覧表である。
【００２９】
また、組み合わせ再生制御部１０６は、操作制御部１０２から組み合わせ方法記述ファイルのファイルＩＤの供給を受けて、このファイルＩＤを含めた記述ファイル要求信号を生成して記述ファイル要求信号送信部１０９に供給する。
また、組み合わせ再生制御部１０６は、記述ファイル記憶部１１１から組み合わせ方法記述ファイルを読み込み、その組み合わせ方法記述ファイルの組み合わせ方法記述データに基づいて放送コンテンツおよび素材コンテンツの組み合わせ再生を制御する。
また、組み合わせ再生制御部１０６は、放送コンテンツおよび素材コンテンツの組み合わせ再生の制御において、必要な素材コンテンツを取得するための素材コンテンツ要求信号を生成して素材コンテンツ要求信号送信部１１２に供給する。
【００３０】
リスト要求信号送信部１０７は、組み合わせ再生制御部１０６から供給されるリスト要求信号を、組み合わせ方法記述フィルサーバ７に対して送信する。
リスト受信部１０８は、組み合わせ方法記述ファイルサーバ７から供給されるリストを受信して組み合わせ再生制御部１０６に供給する。
記述ファイル要求信号送信部１０９は、組み合わせ再生制御部１０６から供給される記述ファイル要求信号を、組み合わせ方法記述ファイルサーバ７に対して送信する。
記述ファイル受信部１１０は、組み合わせ方法記述ファイルサーバ７から供給される組み合わせ方法記述ファイルを受信して記述ファイル記憶部１１１に供給する。
記述ファイル記憶部１１１は、記述ファイル受信部１１０から供給される組み合わせ方法記述ファイルを記憶する。また、記述ファイル記憶部１１１は、組み合わせ再生制御部１０６による読み出し制御によって、記憶された組み合わせ方法記述ファイルを組み合わせ再生制御部１０６に供給する。
【００３１】
なお、記述ファイル要求信号送信部１０９と記述ファイル受信部１１０と記述ファイル記憶部１１１とは、組み合わせ方法記述データ取得部である。
【００３２】
素材コンテンツ要求信号送信部１１２は、組み合わせ再生制御部１０６から供給される素材コンテンツ要求信号を、素材コンテンツサーバ８に対して送信する。
素材コンテンツ受信部１１３は、素材コンテンツサーバ８から供給される素材コンテンツを受信して素材コンテンツ記憶部１１４に供給する。
素材コンテンツ記憶部１１４は、素材コンテンツ受信部１１３から供給される素材コンテンツを記憶する。また、素材コンテンツ記憶部１１４は、素材コンテンツ再生部１１７による読み出し制御によって、記憶された素材コンテンツを素材コンテンツ再生部１１７に供給する。
【００３３】
放送コンテンツ再生部１１５は、組み合わせ再生制御部１０６が組み合わせ方法記述データを解釈することにより供給する番組ＩＤと再生開始時刻と再生停止時刻とを取り込み、その番組ＩＤをキーとして放送コンテンツ記憶部１０５から放送コンテンツを読み込む。そして、放送コンテンツ再生部１１５は、読み込んだ放送コンテンツのうち、再生開始時刻から再生停止時刻までのコンテンツを再生し、その映像データおよび音声データを再生出力切換部１１９の一方の入力部（入力部ａ）に供給する。
放送コンテンツ再生監視部１１６は、放送コンテンツ再生部１１５の再生状態を監視し、放送コンテンツの再生時刻を組み合わせ再生制御部１０６に供給する。
【００３４】
素材コンテンツ再生部１１７は、組み合わせ再生制御部１０６が組み合わせ方法記述データを解釈することにより供給する再生時間長を取り込み、素材コンテンツ記憶部１１４から素材コンテンツを読み込んで再生時間長分のコンテンツを再生し、その映像データおよび音声データを再生出力切換部１１９の他方の入力部（入力部ｂ）に供給する。
素材コンテンツ再生監視部１１８は、素材コンテンツ再生部１１７の再生状態を監視し、素材コンテンツの再生時刻を組み合わせ再生制御部１０６に供給する。
【００３５】
再生出力切換部１１９は、入力部ａに供給される放送コンテンツの映像データおよび音声データと、入力部ｂに供給される素材コンテンツの映像データおよび音声データとを、組み合わせ再生制御部１０６による切換制御によって切り換えて出力部ｃから出力する。
映像音声出力部１２０は、再生出力切換部１１９の出力部ｃから供給される映像データおよび音声データを、映像信号および音声信号として映像音声出力装置２に対して出力する。また、映像音声出力部１２０は、操作制御部１０２から供給される操作用メニュー画像データを取り込み、映像信号に変換して映像音声出力装置２に対して出力する。
【００３６】
次に、組み合わせ方法記述ファイルサーバ７の構成について説明する。図３は、組み合わせ方法記述ファイルサーバ７の機能構成を示すブロック図である。同図に示すように、組み合わせ方法記述ファイルサーバ７は、記述ファイル格納部７０１と、サマリファイル格納部７０２と、リスト要求信号受信部７０３と、記述ファイル検索部７０４と、リスト作成部７０５と、リスト送信部７０６と、記述ファイル要求信号受信部７０７と、記述ファイル取得部７０８と、記述ファイル送信部７０９とを備える。
【００３７】
記述ファイル格納部７０１は、複数の組み合わせ方法記述ファイルを格納する。サマリファイル格納部７０２は、記述ファイル格納部７０１に格納された組み合わせ方法記述ファイルに対応するサマリファイルを格納する。サマリファイルは、組み合わせ方法記述ファイルのタイトルと概要と再生時間長と選択回数とをファイルＩＤに関連付けたサマリデータを含む。サマリファイルの詳細については後述する。記述ファイル格納部７０１およびサマリファイル格納部７０２は、例えば磁気ハードディスク装置である。
【００３８】
リスト要求信号受信部７０３は、コンテンツ記録再生装置１のリスト要求信号送信部１０７が送信したリスト要求信号を受信し、そのリスト要求信号から番組ＩＤを抽出して記述ファイル検索部７０４に供給する。
記述ファイル検索部７０４は、リスト要求信号受信部７０３から供給された番組ＩＤが含まれる組み合わせ方法記述ファイルのファイルＩＤを記述ファイル格納部７０１から抽出してリスト作成部７０５に供給する。
リスト作成部７０５は、記述ファイル検索部７０４から供給されたファイルＩＤをキーとしてサマリファイル格納部７０２からサマリデータを抽出し、サマリデータのリストを作成してリスト送信部７０６に供給する。リスト作成部７０５は、例えば、サマリデータの選択回数の降順にリストを作成する。
リスト送信部７０６は、リスト作成部７０５から供給されたリストをコンテンツ記録再生装置１に対して送信する。
【００３９】
記述ファイル要求信号受信部７０７は、コンテンツ記録再生装置１の記述ファイル要求信号送信部１０９が送信した記述ファイル要求信号を受信し、その記述ファイル要求信号からファイルＩＤを抽出して記述ファイル取得部７０８に供給する。
記述ファイル取得部７０８は、記述ファイル要求信号受信部７０７から供給されたファイルＩＤをキーとして記述ファイル格納部７０１から組み合わせ方法記述ファイルを取得し記述ファイル送信部７０９に供給する。
記述ファイル送信部７０９は、記述ファイル取得部７０８から供給された組み合わせ方法記述ファイルをコンテンツ記録再生装置１に対して送信する。
【００４０】
ここで、放送コンテンツのシーン構成の例を示す。図４は、放送コンテンツのシーン構成を説明するための図である。同図は、番組ＩＤ＝“ＩＤ＿ＡＢＣ”である「語学学習番組」のシーン構成を表す例である。このシーン構成図の２行目から１５行目までの各行は、一つのシーンに対応するコンテンツに関する情報である。よって、同図のシーン構成による語学学習番組は、全１４シーンで構成されている。このシーン構成図の１桁目の欄はシーンのサブタイトルであり、２桁目の欄はシーンの時間長であり、３桁目の欄は番組の開始時刻からの累計時間長である。時間長および開始時刻からの累計時間長は、“時：分：秒．フレーム数”で表される。同図によれば、この語学学習番組は“００：２０：００．００”（２０分）の番組である。
以下、具体例を示して説明する場合は、同図の語学学習番組のシーン構成例を用いる。
【００４１】
次に、サマリファイルについて説明する。図５は、サマリファイルのデータ構成の例を示す図である。同図に示すサマリファイルは、組み合わせ方法記述ファイルのタイトルと概要と再生時間長と選択回数とを組み合わせ方法記述ファイルのファイルＩＤに対応付けたテーブルデータである。
ファイルＩＤは、対応する組み合わせ方法記述ファイルのファイルＩＤを格納する項目である。このファイルＩＤはサマリファイルにおける主キーである。タイトルは、組み合わせ方法記述ファイルに基づいて生成される視聴コンテンツのタイトルを格納する項目である。このタイトルは、例えば、組み合わせ方法記述ファイルに対応付けられた放送コンテンツの番組タイトルであってもよい。概要は、視聴コンテンツの概要、特徴、説明等を記述したテキストを格納する項目である。再生時間長は、視聴コンテンツ全体の再生にかかる時間長を格納する項目である。選択回数は、過去に組み合わせ方法記述ファイルが選択された回数を格納する項目である。記述ファイル取得部７０８によってファイルＩＤが指定されると、そのファイルＩＤに対応付けられた選択回数が一つ加算される。
【００４２】
次に、組み合わせ方法記述データについて説明する。図６は、組み合わせ方法記述データのデータ構成の第１の例を示す図である。同図に示す組み合わせ方法記述データは、再生順番と再生対象と再生対象特定情報と再生開始時刻と再生停止時刻と再生時間長とサブタイトルとを対応付けたテーブルデータである。組み合わせ方法記述データは、ファイルＩＤ（この例では、ファイルＩＤ＝“ＩＤ２１５”）と対応付けられて組み合わせ方法記述ファイルに格納されている。
同図の組み合わせ方法記述データの各行は、放送コンテンツまたは素材コンテンツの指定と、この指定が放送コンテンツである場合はその再生時間範囲と、その指定が素材コンテンツである場合はその再生時間長とを示す情報である。この各行の情報をイベント情報と呼ぶ。
【００４３】
組み合わせ方法記述データの項目において、再生順番は、コンテンツ記録再生装置１の組み合わせ再生制御部１０６がイベント情報を解釈する順番、言い換えると再生の順番を示す番号である。再生対象は、再生対象を指定するフラグデータであり、例えば、再生対象が放送コンテンツである場合は“０（ゼロ）”であり、再生対象が素材コンテンツである場合は“１”である。再生対象特定情報は、再生対象を特定する情報であり、例えば、再生対象が放送コンテンツである場合は番組ＩＤであり、再生対象が素材コンテンツである場合はその素材コンテンツのＵＲＬである。再生開始時刻および再生停止時刻は、再生対象の再生開始時刻と再生停止時刻とをそれぞれ指定する時刻情報であり、再生対象が放送コンテンツである場合に有効な情報である。本実施形態では、再生対象が素材コンテンツである場合の再生開始時刻および再生停止時刻は、空欄（図６では空欄を“−”と表記する。）である。再生時間長は、再生対象の再生時間長を指定する時間情報であり、再生対象が素材コンテンツである場合に有効な情報である。本実施形態では、再生対象が放送コンテンツである場合の再生時間長は、空欄（同図では空欄を“−”と表記する。）である。サブタイトルは、再生対象に関するサブタイトル（副題）を示す情報であり、再生対象が素材コンテンツである場合に有効な情報である。本実施形態では、再生対象が放送コンテンツである場合のサブタイトルは、空欄（同図では空欄を“−”と表記する。）である。
【００４４】
なお、組み合わせ方法記述データにおいて、再生対象のフィールドは省略してもよい。その場合は、コンテンツ記録再生装置１は、再生対象特定情報の内容をチェックして再生対象を判断する。
【００４５】
コンテンツ記録再生装置１が、図４に示すシーン構成を有する放送コンテンツに、図６に示す組み合わせ方法記述データ（第１の例）を適用して組み合わせ再生を行う場合の概略のシーケンスについて具体的に説明する。
コンテンツ記録再生装置１は、組み合わせ再生制御部１０６が同図に示す組み合わせ方法記述データの再生順番＝“１”であるイベント情報を取り込んで解釈を実行すると、再生対象＝“０（ゼロ）”に基づいて番組ＩＤ＝“ＩＤ＿ＡＢＣ”である放送コンテンツのうち、“００：００：００．００”から“００：１７：３２：２０”までの時間範囲のコンテンツを再生する。つまり、コンテンツ記録再生装置１は、図４に示す“オープニング映像”から“スキットをもう一度見てみましょう”までのシーンを再生する。
【００４６】
次に、コンテンツ記録再生装置１は、組み合わせ再生制御部１０６が図６に示す組み合わせ方法記述データの再生順番＝“２”であるイベント情報を取り込んで解釈を実行すると、再生対象＝“１”に基づいてＵＲＬ＝“ＵＲＬ＿ＸＸＸＪＪＪ”である素材コンテンツを素材コンテンツサーバ８から取得し、“実際の会話の中での使用例１”をサブタイトルとする時間長“００：０３：１０．００”分のコンテンツを再生する。
【００４７】
次に、コンテンツ記録再生装置１は、組み合わせ再生制御部１０６が図６に示す組み合わせ方法記述データの再生順番＝“３”であるイベント情報を取り込んで解釈を実行すると、再生対象＝“０（ゼロ）”に基づいて番組ＩＤ＝“ＩＤ＿ＡＢＣ”である放送コンテンツのうち、“００：１７：３２．２０”から“００：１９：３２：２０”までの時間範囲のコンテンツを再生する。つまり、コンテンツ記録再生装置１は、図４に示す“詳しい文法の説明”および“発音練習”のシーンを再生する。
【００４８】
次に、コンテンツ記録再生装置１は、組み合わせ再生制御部１０６が図６に示す組み合わせ方法記述データの再生順番＝“４”であるイベント情報を取り込んで解釈を実行すると、再生対象＝“１”に基づいてＵＲＬ＝“ＵＲＬ＿ＸＸＸＫＫＫ”である素材コンテンツを素材コンテンツサーバ８から取得し、“じっくり行う会話練習”をサブタイトルとする時間長“００：０３：４０．００”分のコンテンツを再生する。
【００４９】
次に、コンテンツ記録再生装置１は、組み合わせ再生制御部１０６が図６に示す組み合わせ方法記述データの再生順番＝“５”であるイベント情報を取り込んで解釈を実行すると、再生対象＝“０（ゼロ）”に基づいて番組ＩＤ＝“ＩＤ＿ＡＢＣ”である放送コンテンツのうち、“００：１９：３２．２０”から“００：２０：００：００”までの時間範囲のコンテンツを再生する。つまり、コンテンツ記録再生装置１は、図４に示す“エンディングのあいさつ”および“エンディング映像”のシーンを再生する。
【００５０】
図７は、コンテンツ記録再生装置１が、図４に示すシーン構成を有する放送コンテンツに、図６に示す組み合わせ方法記述データを適用して組み合わせ再生を行う場合の、組み合わせシーン構成を説明するための図である。組み合わせ再生制御部１０６が図４に示す組み合わせ方法記述データを解釈実行することにより、コンテンツ記録再生装置１は、図７に示すように、番組ＩＤ＝“ＩＤ＿ＡＢＣ”である放送コンテンツと６分５０秒分の素材コンテンツ（図中網掛けで示した、「実際の会話の中での使用例１」（時間長３分１０秒）および「じっくり行う発音練習」（時間長３分４０秒）の部分）とを組み合わせ、全体として“００：２６：５０．００”（２６分５０秒）分の視聴コンテンツを再生することができる。
【００５１】
図８は、組み合わせ方法記述データのデータ構成の第２の例を示す図である。この組み合わせ方法記述データは、ファイルＩＤ＝“ＩＤ２１７”と対応付けられて組み合わせ方法記述ファイルに格納されている。
コンテンツ記録再生装置１が、図４に示すシーン構成を有する放送コンテンツに、図８に示す組み合わせ方法記述データ（第２の例）を適用して組み合わせ再生を行う場合の概略のシーケンスについて具体的に説明する。
コンテンツ記録再生装置１は、組み合わせ再生制御部１０６が同図に示す組み合わせ方法記述データの再生順番＝“１”であるイベント情報を取り込んで解釈を実行すると、再生対象＝“０（ゼロ）”に基づいて番組ＩＤ＝“ＩＤ＿ＡＢＣ”である放送コンテンツのうち、“００：００：００．００”から“００：１７：３２：２０”までの時間範囲のコンテンツを再生する。つまり、コンテンツ記録再生装置１は、図４に示す“オープニング映像”から“スキットをもう一度見てみましょう”までのシーンを再生する。
【００５２】
次に、コンテンツ記録再生装置１は、組み合わせ再生制御部１０６が図８に示す組み合わせ方法記述データの再生順番＝“２”であるイベント情報を取り込んで解釈を実行すると、再生対象＝“１”に基づいてＵＲＬ＝“ＵＲＬ＿ＸＸＸＪＪＪ”である素材コンテンツを素材コンテンツサーバ８から取得し、“実際の会話の中での使用例１”をサブタイトルとする時間長“００：０３：１０．００”分のコンテンツを再生する。
【００５３】
次に、コンテンツ記録再生装置１は、組み合わせ再生制御部１０６が同図に示す組み合わせ方法記述データの再生順番＝“３”であるイベント情報を取り込んで解釈を実行すると、再生対象＝“１”に基づいてＵＲＬ＝“ＵＲＬ＿ＸＸＸＬＬＬ”である素材コンテンツを素材コンテンツサーバ８から取得し、“実際の会話の中での使用例２”をサブタイトルとする時間長“００：０２：５０．００”分のコンテンツを再生する。
【００５４】
次に、コンテンツ記録再生装置１は、組み合わせ再生制御部１０６が同図に示す組み合わせ方法記述データの再生順番＝“４”であるイベント情報を取り込んで解釈を実行すると、再生対象＝“１”に基づいてＵＲＬ＝“ＵＲＬ＿ＸＸＸＭＭＭ”である素材コンテンツを素材コンテンツサーバ８から取得し、“実際の会話の中での使用例３”をサブタイトルとする時間長“００：０３：１８．００”分のコンテンツを再生する。
【００５５】
次に、コンテンツ記録再生装置１は、組み合わせ再生制御部１０６が図８に示す組み合わせ方法記述データの再生順番＝“５”であるイベント情報を取り込んで解釈を実行すると、再生対象＝“０（ゼロ）”に基づいて番組ＩＤ＝“ＩＤ＿ＡＢＣ”である放送コンテンツのうち、“００：１７：３２．２０”から“００：１８：４２：２０”までの時間範囲のコンテンツを再生する。つまり、コンテンツ記録再生装置１は、図４に示す“詳しい文法の説明”のシーンを再生する。
【００５６】
次に、コンテンツ記録再生装置１は、組み合わせ再生制御部１０６が図８に示す組み合わせ方法記述データの再生順番＝“６”であるイベント情報を取り込んで解釈を実行すると、再生対象＝“１”に基づいてＵＲＬ＝“ＵＲＬ＿ＸＸＸＫＫＫ”である素材コンテンツを素材コンテンツサーバ８から取得し、“じっくり行う会話練習”をサブタイトルとする時間長“００：０３：４０．００”分のコンテンツを再生する。
【００５７】
次に、コンテンツ記録再生装置１は、組み合わせ再生制御部１０６が図８に示す組み合わせ方法記述データの再生順番＝“７”であるイベント情報を取り込んで解釈を実行すると、再生対象＝“０（ゼロ）”に基づいて番組ＩＤ＝“ＩＤ＿ＡＢＣ”である放送コンテンツのうち、“００：１９：３２．２０”から“００：２０：００：００”までの時間範囲のコンテンツを再生する。つまり、コンテンツ記録再生装置１は、図４に示す“エンディングのあいさつ”および“エンディング映像”のシーンを再生する。
【００５８】
図９は、コンテンツ記録再生装置１が、図４に示すシーン構成を有する放送コンテンツに、図８に示す組み合わせ方法記述データを適用して組み合わせ再生を行う場合の、組み合わせシーン構成を表す図である。組み合わせ再生制御部１０６が図４に示す組み合わせ方法記述データを解釈実行することにより、コンテンツ記録再生装置１は、図９に示すように、番組ＩＤ＝“ＩＤ＿ＡＢＣ”である放送コンテンツに１２分５８秒分の素材コンテンツ（図中網掛けで示した、「実際の会話の中での使用例１」（時間長３分１０秒）と「実際の会話の中での使用例２」（時間長２分５０秒）と「実際の会話の中での使用例３」（時間長３分１８秒）と「じっくり行う発音練習」（時間長３分４０秒）との部分）を組み合わせるとともに、放送コンテンツから５０秒分の「発音練習」を削除し、全体として“００：３２：０８．００”（３２分８秒）分の視聴コンテンツを再生することができる。
【００５９】
次に、放送・配信システムの動作について、（１）組み合わせ方法記述ファイル取得処理と、（２）組み合わせ再生処理と、（３）素材コンテンツ取得処理とに分けて説明する。
なお、コンテンツ記録再生装置１は、放送アンテナ１０が送信する放送電波ｗを受信して得られた所望の放送番組の放送コンテンツを録画してあるものとする。具体例として、コンテンツ記録再生装置１の放送コンテンツ記憶部１０５は、番組ＩＤ＝“ＩＤ＿ＡＢＣ”である放送コンテンツを記憶し、放送コンテンツ記憶管理部１０３は、その番組ＩＤを記憶した放送コンテンツに対応付けて放送コンテンツ記憶管理部１０３に記憶している。
【００６０】
（１）組み合わせ方法記述ファイル取得処理
放送・配信システムのコンテンツ記録再生装置１と組み合わせ方法記述ファイルサーバ７とによる、組み合わせ方法記述ファイル取得処理について説明する。図１０は、コンテンツ記録再生装置１と組み合わせ方法記述ファイルサーバ７とによる組み合わせ方法記述ファイル取得処理の処理手順を示すフローチャートである。
まず、コンテンツ記録再生装置１の処理について説明する。コンテンツ記録再生装置１の初期状態として、操作制御部１０２は、放送コンテンツの選択の操作制御によって、放送コンテンツ記憶管理部１０３から記憶されている番組ＩＤを読み込み、その番組ＩＤに基づいて放送コンテンツを選択させるための操作用メニュー画像データを生成して映像音声出力部１２０に供給する。そして、映像音声出力部１２０は、操作用メニュー画像データの映像信号を映像音声出力装置２に供給する。そして、映像音声出力装置２は、操作用メニュー画像を表示する。この状態において、コンテンツ記録再生装置１は同図のフローチャートの処理を開始する。
【００６１】
ステップＳ１１において、映像音声出力装置２の画像表示部に表示された操作用メニュー画像にしたがって、視聴者による操作部の操作により所望の録画された放送コンテンツが選択されると、操作部は操作に応じたコードを含めた操作信号を送信する。次に、操作信号受信部１０１はその操作信号を受信し、操作信号に含まれるコードを操作制御部１０２に供給する。次に、操作制御部１０２は、コードを取り込んでそのコードと放送コンテンツ記憶管理部１０３から読み込んだ番組ＩＤとの対応関係に基づいて、視聴者により選択された番組ＩＤを抽出する。次に、操作制御部１０２は、組み合わせ再生の操作制御として、その番組ＩＤと組み合わせ再生の指示を示すコマンドとを、組み合わせ再生制御部１０６に供給する。
次に、ステップＳ１２において、組み合わせ再生制御部１０６は、操作制御部１０２から供給される番組ＩＤと組み合わせ再生の指示を示すコマンドとを取り込むと、その番組ＩＤを含めたリスト要求信号を生成してリスト要求信号送信部１０７に供給する。
次に、ステップＳ１３において、リスト要求信号送信部１０７は、リスト要求信号を組み合わせ方法記述ファイルサーバ７に対して送信する。
【００６２】
次に、ステップＳ１４において、リスト受信部１０８は、組み合わせ方法記述ファイルサーバ７から供給されるリストを受信して組み合わせ再生制御部１０６に供給する。次に、組み合わせ再生制御部１０６は、リスト受信部１０８から供給されるリストを取り込んで操作制御部１０２に供給する。
次に、ステップＳ１５において、操作制御部１０２は、組み合わせ再生制御部１０６から供給されるリストを取り込み、組み合わせ方法記述ファイルを選択させるための操作用メニュー画像データを生成して映像音声出力部１２０に供給する。次に、映像音声出力部１２０は、操作用メニュー画像データの映像信号を映像音声出力装置２に供給する。そして、映像音声出力装置２は、操作用メニューを表示する。
【００６３】
次に、ステップＳ１６において、映像音声出力装置２の画像表示部に表示された操作用メニューにしたがって、視聴者による操作部の操作により所望の組み合わせ方法記述ファイルが選択されると、操作部は操作に応じたコードを含めた操作信号を送信する。次に、操作信号受信部１０１はその操作信号を受信し、操作信号に含まれるコードを操作制御部１０２に供給する。次に、操作制御部１０２は、コードを取り込んでそのコードとリストとに基づいて、視聴者により選択されたファイルＩＤを抽出する。次に、操作制御部１０２は、そのファイルＩＤを組み合わせ再生制御部１０６に供給する。
次に、ステップＳ１７において、組み合わせ再生制御部１０６は、操作制御部１０２から供給されるファイルＩＤを取り込むと、そのファイルＩＤを含めた記述ファイル要求信号を生成して記述ファイル要求信号送信部１０９に供給する。
次に、ステップＳ１８において、記述ファイル要求信号送信部１０９は、記述ファイル要求信号を組み合わせ方法記述ファイルサーバ７に対して送信する。
【００６４】
次に、ステップＳ１９において、記述ファイル受信部１１０は、組み合わせ方法記述ファイルサーバ７から供給される組み合わせ方法記述ファイルを受信して記述ファイル記憶部１１１に供給する。
次に、ステップＳ２０において、組み合わせ方法記述ファイル記憶部１１１は、組み合わせ方法記述ファイルを記憶する。
【００６５】
次に、組み合わせ方法記述ファイルサーバ７の処理について説明する。まず、ステップＳ３１において、リスト要求信号受信部７０３は、コンテンツ記録再生装置１のリスト要求信号送信部１０７が送信したリスト要求信号を受信し、そのリスト要求信号から番組ＩＤを抽出して記述ファイル検索部７０４に供給する。
次に、ステップＳ３２において、記述ファイル検索部７０４は、番組ＩＤが含まれる組み合わせ方法記述ファイルのファイルＩＤを記述ファイル格納部７０１から抽出し、そのファイルＩＤをリスト作成部７０５に供給する。次に、リスト作成部７０５は、ファイルＩＤをキーとしてサマリファイル格納部７０２からサマリデータを抽出し、サマリデータのリストを作成してリスト送信部７０６に供給する。
次に、ステップＳ３３において、リスト送信部７０６は、リストをコンテンツ記録再生装置１に対して送信する。
【００６６】
次に、ステップＳ３４において、記述ファイル要求信号受信部７０７は、コンテンツ記録再生装置１の記述ファイル要求信号送信部１０９が送信した記述ファイル要求信号を受信し、その記述ファイル要求信号からファイルＩＤを抽出して記述ファイル取得部７０８に供給する。
次に、ステップＳ３５において、記述ファイル取得部７０８は、ファイルＩＤをキーとして記述ファイル格納部７０１から組み合わせ方法記述ファイルを取得して記述ファイル送信部７０９に供給する。
次に、ステップＳ３６において、記述ファイル送信部７０９は、組み合わせ方法記述ファイルをコンテンツ記録再生装置１に対して送信する。
【００６７】
（２）組み合わせ再生処理
次に、放送・配信システムのコンテンツ記録再生装置１による、組み合わせ再生処理について説明する。図１１は、コンテンツ記録再生装置１による組み合わせ再生処理の処理手順を示すフローチャートである。
まず、ステップＳ５１において、組み合わせ再生制御部１０６は、記述ファイル記憶部１１１から組み合わせ方法記述データを読み込み、この組み合わせ方法記述データにおける再生開始時刻と再生停止時刻と再生時間長との各データに基づいて、各素材コンテンツの再生開始時刻を計算する。次に、組み合わせ再生制御部１０６は、各素材コンテンツの再生開始時刻から所定時間前の時刻を計算し、各素材コンテンツの素材コンテンツサーバ８に対する要求時刻とする。そして、組み合わせ再生制御部１０６は、要求時刻を再生対象特定情報に対応させて記憶する。上記の所定時間は、コンテンツ記録再生装置１が素材コンテンツサーバ８に素材コンテンツの取得要求を行ってから素材コンテンツを取得するまでの想定時間よりも長い時間である。例えば、所定時間は、“１２０秒”等の一定時間であってもよい。また、素材コンテンツの再生時間長が長い場合にはより長くするというように、所定時間は、再生時間長に応じて変更される可変時間であってもよい。
【００６８】
次に、ステップＳ５２において、組み合わせ再生制御部１０６は、組み合わせ方法記述データの項目「再生順番」の昇順に一組のイベント情報を読み込む。例えば、図６に示す組み合わせ方法記述データの例では、組み合わせ再生制御部１０６は、その組み合わせ方法記述データから、再生順番＝“１”であるイベント情報を読み込む。
【００６９】
次に、ステップＳ５３において、組み合わせ再生制御部１０６は、読み込んだイベント情報における項目「再生対象」のフラグデータを判別する。そして、組み合わせ再生制御部１０６が再生対象＝“０（ゼロ）”であると判別した場合は、組み合わせ再生制御部１０６はこのイベント情報における再生対象が放送コンテンツあることを認識し、ステップＳ５４の処理に移る。一方、組み合わせ再生制御部１０６が再生対象＝“１”であると判別した場合は、組み合わせ再生制御部１０６はこのイベント情報における再生対象が素材コンテンツあることを認識し、ステップＳ５６の処理に移る。
【００７０】
ステップＳ５４において、組み合わせ再生制御部１０６は、放送コンテンツ再生部１１５が出力する映像データおよび音声データが映像音声出力部１２０に供給されるように再生出力切換部１１９の経路を切り換える。
【００７１】
次にステップＳ５５において、組み合わせ再生制御部１０６は、イベント情報の「再生対象特定情報」に格納された番組ＩＤと再生開始時刻と再生停止時刻との各項目を放送コンテンツ再生部１１５に供給して再生開始を指示する。例えば、図６に示す組み合わせ方法記述データの例では、組み合わせ再生制御部１０６は、再生対象特定情報＝“ＩＤ＿ＡＢＣ”と再生開始時刻＝“００：００：００．００”と再生停止時刻＝“００：１７：３２．２０”とを放送コンテンツ再生部１１５に供給して再生開始を指示する。
次に、放送コンテンツ再生部１１５は、放送コンテンツ再生監視部１１６に再生状態の監視を指示する。
次に、放送コンテンツ再生部１１５は、番組ＩＤをキーとして放送コンテンツ記憶部１０５から放送コンテンツを読み込み、再生開始時刻から再生停止時刻までの時間範囲のコンテンツを再生する。例えば、図６に示す組み合わせ方法記述データの例では、放送コンテンツ再生部１１５は、放送コンテンツ記憶部１０５から番組ＩＤ＝“ＩＤ＿ＡＢＣ”である放送コンテンツを読み込み、再生開始時刻＝“００：００：００．００”から再生停止時刻＝“００：１７：３２．２０”までの時間範囲のコンテンツを再生する。
【００７２】
上記ステップＳ５５の処理において、放送コンテンツ再生監視部１１６は、放送コンテンツ再生部１１５による放送コンテンツの再生状態を監視している。具体的には、放送コンテンツ再生監視部１１６は、放送コンテンツ再生部１１５から放送コンテンツの再生時刻をリアルタイムに取得して組み合わせ再生制御部１０６に供給する。次に、ステップＳ５８の処理に移る。
【００７３】
一方、ステップＳ５６において、組み合わせ再生制御部１０６は、素材コンテンツ再生部１１７が出力する映像データおよび音声データが映像音声出力部１２０に供給されるように再生出力切換部１１９の経路を切り換える。
【００７４】
次にステップＳ５７において、組み合わせ再生制御部１０６は、イベント情報の項目「再生時間長」に格納された再生時間長を素材コンテンツ再生部１１７に供給して再生開始を指示する。例えば、図６に示す組み合わせ方法記述データの例では、組み合わせ再生制御部１０６は、再生時間長＝“００：０３：１０．００”を素材コンテンツ再生部１１７に供給して再生開始を指示する。
次に、素材コンテンツ再生部１１７は、素材コンテンツ再生監視部１１８に再生状態の監視を指示する。
次に、素材コンテンツ再生部１１７は、素材コンテンツ記憶部１１４に記憶された素材コンテンツを読み込み、再生時間長分のコンテンツを再生する。例えば、図６に示す組み合わせ方法記述データの例では、素材コンテンツ再生部１１７は、素材コンテンツ記憶部１１４に記憶された、サブタイトルが“実際の会話の中での使用例１”である素材コンテンツを読み込み、再生時間長＝“００：０３：１０．００”分のコンテンツを再生する。
【００７５】
上記ステップＳ５７の処理において、素材コンテンツ再生監視部１１８は、素材コンテンツ再生部１１７による素材コンテンツの再生状態を監視している。具体的には、素材コンテンツ再生監視部１１８は、素材コンテンツ再生部１１７から素材コンテンツの再生時刻をリアルタイムに取得して組み合わせ再生制御部１０６に供給する。次に、ステップＳ５８の処理に移る。
【００７６】
ステップＳ５８において、組み合わせ再生制御部１０６は、組み合わせ方法記述データに未処理のイベント情報があるか否かを判定し、未処理のイベント情報があると判定した場合（Ｓ５８：ＹＥＳ）はステップＳ５２の処理に戻り、未処理のイベント情報がないと判定した場合（Ｓ５８：ＮＯ）は本フローチャートの処理を終了する。
【００７７】
（３）素材コンテンツ取得処理
次に、放送・配信システムのコンテンツ記録再生装置１と素材コンテンツサーバ８とによる、素材コンテンツ取得処理について説明する。図１２は、コンテンツ記録再生装置１と素材コンテンツサーバ８とによる素材コンテンツ取得処理の処理手順を示すフローチャートである。
なお、このフローチャートは、コンテンツ記録再生装置１が素材コンテンツサーバ８に一つの素材コンテンツの取得要求を行い、その取得要求にしたがって素材コンテンツサーバ８が取得対象である一つの素材コンテンツをコンテンツ記録再生装置１に対して供給する手順を示すものである。
【００７８】
まず、コンテンツ記録再生装置１の処理について説明する。ステップＳ７１において、組み合わせ再生制御部１０６は、放送コンテンツ再生監視部１１６または素材コンテンツ再生監視部１１８からリアルタイムに取得する再生時刻と、図１１のステップＳ５１の処理において組み合わせ再生制御部１０６が計算して得た要求時刻とを比較し、再生時刻が要求時刻に一致したと判定した場合（Ｓ７１：ＹＥＳ）、ステップＳ７２の処理に移る。
【００７９】
ステップＳ７２において、組み合わせ再生制御部１０６は、再生時刻と一致した要求時刻に対応する再生対象特定情報を組み合わせ方法記述データから抽出し、その再生対象特定情報に格納されたＵＲＬを含めた素材コンテンツ要求信号を生成して素材コンテンツ要求信号送信部１１２に供給する。例えば、要求時刻が“００：１５：３２．２０”である場合、図６に示す組み合わせ方法記述データの例では、組み合わせ再生制御部１０６は、要求時刻“００：１５：３２．２０”に対応する再生対象特定情報＝“ＵＲＬ＿ＸＸＸＪＪＪ”を組み合わせ方法記述データから抽出し、このＵＲＬを含めた素材コンテンツ要求信号を生成して素材コンテンツ要求信号送信部１１２に供給する。
次に、ステップＳ７３において、素材コンテンツ要求信号送信部１１２は、素材コンテンツ要求信号を素材コンテンツサーバ８に対して送信する。
次に、ステップＳ７４において、素材コンテンツ受信部１１３は、素材コンテンツサーバ８から供給される素材コンテンツを受信して素材コンテンツ記憶部１１４に供給する。
次に、ステップＳ７５において、素材コンテンツ記憶部１１４は、素材コンテンツを記憶する。
【００８０】
次に、素材コンテンツサーバ８の処理について説明する。ステップＳ９１において、素材コンテンツサーバ８は、コンテンツ記録再生装置１の素材コンテンツ要求信号送信部１１２が送信した素材コンテンツ要求信号を受信する。
次に、ステップＳ９２において、素材コンテンツサーバ８は、素材コンテンツ要求信号に含まれるＵＲＬに基づいて素材コンテンツを記憶部から読み出す。
次に、ステップＳ９３において、素材コンテンツサーバ８は、読み出した素材コンテンツをコンテンツ記録再生装置１に対して送信する。
【００８１】
以上説明したように、本発明の第１実施形態における放送・配信システムでは、コンテンツ記録再生装置１が、録画済の放送コンテンツを用いて組み合わせ再生を行う場合に、その放送コンテンツに関する組み合わせ方法記述ファイルのリストを組み合わせ方法記述ファイルサーバ７から取得する。そしてコンテンツ記録再生装置１は、リストを映像音声出力装置２に表示させて、そのリストの中から組み合わせ方法記述ファイルを視聴者に選択させる。そして、コンテンツ記録再生装置１は、選択された組み合わせ方法記述ファイルを組み合わせ方法記述ファイルサーバ７から取得し、その組み合わせ方法記述ファイルの内容に基づいて放送コンテンツと素材コンテンツとの組み合わせ再生を開始する。
この組み合わせ再生では、コンテンツ記録再生装置１は、組み合わせ方法記述ファイルに含まれる組み合わせ方法記述データに基づいて、放送コンテンツの規定時間範囲内の再生と、素材コンテンツサーバ８からの素材コンテンツの取得と、この取得した素材コンテンツの規定タイミングでの再生とを行うことによって、放送コンテンツと素材コンテンツとを組み合わせた視聴コンテンツを再生する。
【００８２】
よって、第１実施形態における放送・配信システムによれば、録画した放送コンテンツに素材コンテンツサーバ８からネットワーク３経由で取得した素材コンテンツを組み合わせて、所望の内容に充実させた視聴コンテンツを生成することができる。
【００８３】
［第２の実施の形態］
図１３は、本発明の第２実施形態であるコンテンツ再生装置を適用したコンテンツ記録再生装置の機能構成を示すブロック図である。なお、第１実施形態におけるコンテンツ記録再生装置１の構成と同一の構成には、同一の符号を付してその説明を省略する。
同図に示すように、コンテンツ記録再生装置１ａは、コンテンツ記録再生装置１に対して、視聴履歴記憶部１２１が新たに追加されるとともに、組み合わせ再生制御部１０６および放送コンテンツ再生部１１５が、それぞれ、組み合わせ再生制御部１０６ａおよび放送コンテンツ再生部１１５ａに変更されたものである。
【００８４】
視聴履歴記憶部１２１は、コンテンツ記録再生装置１ａが過去に録画し再生した放送コンテンツの視聴履歴情報を記憶する。視聴履歴情報は、視聴された放送コンテンツごとに、番組ＩＤと再生回数とジャンル１とジャンル２との各項目を対応付けたレコードを含む。再生回数は、コンテンツ記録再生装置１ａが当該放送コンテンツを再生した回数を格納する項目である。ジャンル１およびジャンル２は、当該放送コンテンツの特徴を表すジャンル情報を格納する項目である。ジャンル１はジャンルの大分類項目に対応し、ジャンル２は大分類項目よりも詳細な分類である小分類項目に対応する。視聴履歴情報の具体例については後述する。
【００８５】
組み合わせ再生制御部１０６ａは、操作制御部１０２の組み合わせ再生の操作制御により、視聴履歴情報を含めたリスト要求信号を生成してリスト要求信号送信部１０７に供給する。具体的には、組み合わせ再生制御部１０６ａは、操作制御部１０２から放送コンテンツの番組ＩＤと組み合わせ再生指示との供給を受けると、視聴履歴記憶部１２１から全ての視聴履歴情報を読み込み、操作制御部１０２から供給された番組ＩＤと全ての視聴履歴情報とを含めたリスト要求信号を生成してリスト要求信号送信部１０７に供給する。
また、組み合わせ再生制御部１０６ａは、放送コンテンツ再生部１１５ａから供給される放送コンテンツの大分類ジャンルデータおよび小分類ジャンルデータを視聴履歴記憶部１２１のジャンル１およびジャンル２に書き込む。
【００８６】
放送コンテンツ再生部１１５ａは、組み合わせ再生制御部１０６ａが組み合わせ方法記述データを解釈することによって供給する番組ＩＤと再生開始時刻と再生停止時刻とを取り込み、その番組ＩＤをキーとして放送コンテンツ記憶部１０５から放送コンテンツとＥＰＧの情報に含まれる大分類ジャンルデータと小分類ジャンルデータとを読み込む。そして、放送コンテンツ再生部１１５ａは、読み込んだ放送コンテンツのうち、再生開始時刻から再生停止時刻までのコンテンツを再生し、その映像データおよび音声データを再生出力切換部１１９の一方の入力部（入力部ａ）に供給する。また、放送コンテンツ再生部１１５ａは、大分類ジャンルデータと小分類ジャンルデータとを組み合わせ再生制御部１０６ａに供給する。
【００８７】
図１４は、本実施形態である組み合わせ方法記述データ提供装置を適用した組み合わせ方法記述ファイルサーバの機能構成を示すブロック図である。なお、第１実施形態における組み合わせ方法記述ファイルサーバ７の構成と同一の構成には、同一の符号を付してその説明を省略する。
同図に示すように、組み合わせ方法記述ファイルサーバ７ａは、組み合わせ方法記述ファイルサーバ７に対して、リスト要求信号受信部７０３とリスト作成部７０５とが、リスト要求信号受信部７０３ａとリスト作成部７０５ａとに変更されたものである。
【００８８】
リスト要求信号受信部７０３ａは、コンテンツ記録再生装置１ａのリスト要求信号送信部１０７が送信したリスト要求信号を受信し、そのリスト要求信号から番組ＩＤと視聴履歴情報とを抽出し、番組ＩＤを記述ファイル検索部７０４に供給するとともに、視聴履歴情報をリスト作成部７０５ａに供給する。
【００８９】
リスト作成部７０５ａは、記述ファイル検索部７０４から供給されたファイルＩＤをキーとしてサマリファイル格納部７０２からサマリデータを抽出する。また、リスト作成部７０５ａは、リスト要求信号受信部７０３ａから供給された視聴履歴情報から番組の特徴を抽出し、その番組の特徴に基づいてサマリデータをリスト化し、そのリストをリスト送信部７０６に供給する。
【００９０】
具体的には、リスト作成部７０５ａは、記述ファイル検索部７０４から供給されたファイルＩＤをキーとしてサマリファイル格納部７０２からサマリデータを抽出する。また、リスト作成部７０５ａは、リスト要求信号受信部７０３ａから供給された視聴履歴情報から再生回数とジャンル１とジャンル２とのフィールドを抽出し、これらフィールドの集合について、例えば、ジャンル１をキーとして、再生回数の多い順にレコードをソートし、次に、同一内容のジャンル１ごとに、ジャンル２をキーとして、再生回数の多い順にレコードをソートする。そして、ソートしたレコードから上位のジャンル１を含むレコードを抽出し、レコードに含まれるキーワードと、サマリデータの概要に含まれるキーワードとの類似度や相関度を求め、求めた類似度や相関度の高い順にサマリデータをソートしてリストを作成する。
【００９１】
上記のようにしてソートしたレコードによれば、再生回数の多い放送コンテンツの大分類と、大分類ごとの再生回数の多い放送コンテンツの小分類とを取得することができる。例えば、再生回数の一番多い大分類が“映画”であり、大分類の“映画”の中で再生回数の一番多い小分類が“洋画”であった場合、この視聴履歴情報からは、映画を観る機会が多く、その中でも洋画を観る機会が多いことが分かる。
【００９２】
次に、視聴履歴情報の具体例について説明する。図１５は、視聴履歴情報のデータ構成例を示す図である。同図に示す視聴履歴情報は、視聴された放送コンテンツごとに、再生回数とジャンル１とジャンル２とを番組ＩＤに対応付けたテーブルデータである。
番組ＩＤは、視聴された放送コンテンツの番組ＩＤを格納する項目である。再生回数は、当該放送コンテンツの再生回数、すなわち視聴回数を格納する項目である。ジャンル１は、当該放送コンテンツのジャンルの大分類を格納する項目である。ジャンル２は、当該放送コンテンツのジャンルの小分類を格納する項目である。
【００９３】
以上説明したように、本発明の第２実施形態における放送・配信システムでは、コンテンツ記録再生装置１ａが録画した放送コンテンツの視聴履歴情報を視聴履歴記憶部１２１に記憶し、その視聴履歴情報を含めたリスト要求信号を組み合わせ方法記述ファイルサーバ７ａに供給する。
そして、組み合わせ方法記述ファイルサーバ７ａは、コンテンツ記録再生装置１ａから供給されたリスト要求信号から視聴履歴情報を取り出して番組の特徴を抽出し、その特徴に応じてサマリデータをリスト化してコンテンツ記録再生装置１ａに供給する。
【００９４】
よって、第２実施形態における放送・配信システムによれば、視聴者の趣味・趣向を反映した組み合わせ方法記述ファイルを用いて、放送コンテンツと素材コンテンツとの組み合わせ再生を行うことができる。
【００９５】
［第３の実施の形態］
上述した第２実施形態では、コンテンツ記録再生装置１ａが視聴者の視聴履歴情報を管理するものであった。本実施形態では、組み合わせファイル方法記述ファイルサーバが視聴者ごとの視聴履歴情報を管理する例である。本実施形態では、コンテンツ記録再生装置の機能構成は、第１実施形態と同様であるため図２に示すブロック図を用いる。
【００９６】
組み合わせ再生制御部１０６は、操作制御部１０２の組み合わせ再生の操作制御により、ユーザＩＤを反映させたリスト要求信号を生成してリスト要求信号送信部１０７に供給する。具体的には、組み合わせ再生制御部１０６は、操作制御部１０２から放送コンテンツの番組ＩＤと組み合わせ再生指示との供給を受けると、組み合わせ再生制御部１０６は予め記憶しているユーザＩＤを読み出し、操作制御部１０２から供給された番組ＩＤとユーザＩＤとを含めたリスト要求信号を生成してリスト要求信号送信部１０７に供給する。ユーザＩＤは、視聴者固有のユーザ識別情報である。
【００９７】
図１６は、本発明の第３実施形態である組み合わせ方法記述データ提供装置を適用した組み合わせ方法記述ファイルサーバの機能構成を示すブロック図である。なお、第１実施形態における組み合わせ方法記述ファイルサーバ７の構成と同一の構成には、同一の符号を付してその説明を省略する。
同図に示すように、組み合わせ方法記述ファイルサーバ７ｂは、組み合わせ方法記述ファイルサーバ７に対して、特徴抽出部７１０と、視聴履歴格納部７１１とが追加されるとともに、リスト要求信号受信部７０３とリスト作成部７０５とが、それぞれ、リスト要求信号受信部７０３ｂとリスト作成部７０５ｂとに変更されたものである。
【００９８】
リスト要求信号受信部７０３ｂは、コンテンツ記録再生装置１のリスト要求信号送信部１０７が送信したリスト要求信号を受信し、そのリスト要求信号から番組ＩＤとユーザＩＤとを抽出し、番組ＩＤを記述ファイル検索部７０４に供給するとともに、ユーザＩＤを特徴抽出部７１０に供給する。
特徴抽出部７１０は、リスト要求信号受信部７０３ｂから供給されるユーザＩＤをキーとして視聴履歴格納部７１１から視聴履歴情報を読み込み、その視聴履歴情報から番組の特徴を抽出してリスト作成部７０５ｂに供給する。特徴抽出部７１０による視聴履歴情報からの番組の特徴の抽出方法は、第２実施形態におけるリスト作成部７０５ａによる特徴の抽出方法と同一であるため、ここではその説明を省略する。
【００９９】
視聴履歴格納部７１１は、ユーザＩＤごとの視聴履歴情報を記憶する。具体的には、視聴履歴格納部７１０は、視聴された放送コンテンツごとの番組ＩＤと再生回数とジャンル１とジャンル２との各項目を対応付けたレコードが含まれるテーブルデータを、ユーザＩＤに対応付けて格納する。
リスト作成部７０５ｂは、記述ファイル検索部７０４から供給されたファイルＩＤをキーとしてサマリファイル格納部７０２からサマリデータを抽出する。また、リスト作成部７０５ｂは、特徴抽出部７１０から供給された番組の特徴に基づいてサマリデータをリスト化しそのリストをリスト送信部７０６に供給する。
【０１００】
本発明の第３実施形態における放送・配信システムによれば、視聴者の趣味・趣向を反映した組み合わせ方法記述ファイルを用いて、放送コンテンツと素材コンテンツとの組み合わせ再生を行うことができる。
【０１０１】
［第４の実施形態］
本発明の第４実施形態であるコンテンツ再生装置を適用したコンテンツ記録再生装置は、組み合わせ方法記述ファイルサーバ７から取得した組み合わせ方法記述ファイルの内容を、視聴者により指定された条件に基づいて変更し、この変更した組み合わせ方法記述データにしたがって組み合わせ再生を行う例である。
【０１０２】
図１７は、第４実施形態であるコンテンツ再生装置を適用したコンテンツ記録再生装置の機能構成を示すブロック図である。なお、第１実施形態におけるコンテンツ記録再生装置１の構成と同一の構成には、同一の符号を付してその説明を省略する。
同図に示すように、コンテンツ記録再生装置１ｂは、コンテンツ記録再生装置１に対して、記述データ変換部１２２が新たに追加されるとともに、操作制御部１０２および組み合わせ再生制御部１０６が、それぞれ、操作制御部１０２ａおよび組み合わせ再生制御部１０６ｂに変更されたものである。
【０１０３】
操作制御部１０２ａは、操作信号受信部１０１から供給されるコードに基づいて、組み合わせ再生条件設定の操作制御を行う。組み合わせ再生制御部１０６ｂには、操作制御部１０２ａの組み合わせ再生条件設定の操作制御によって組み合わせ再生条件が設定される。組み合わせ再生条件は、組み合わせ方法記述データに基づく組み合わせ再生に関する制限条件であり、例えば、組み合わせ再生時間に関する時間制限である。
【０１０４】
組み合わせ再生制御部１０６ｂは、記述ファイル記憶部１１１に記憶された組み合わせ方法記述データを読み込み、その組み合わせ方法記述データが組み合わせ再生条件に合致するか否かを判定する。例えば、組み合わせ方法記述データから組み合わせ再生時間を計算し、その時間が組み合わせ再生条件である時間制限以内であるか否かを判定する。そして、組み合わせ再生制御部１０６ｂは、組み合わせ方法記述データが組み合わせ再生条件に合致しないと判定した場合、組み合わせ方法記述データと組み合わせ再生条件とを記述データ変換部１２２に供給する。
【０１０５】
記述データ変換部１２２は、組み合わせ再生制御部１０６ｂから供給された組み合わせ方法記述データと組み合わせ再生条件とに基づいて、組み合わせ方法記述データを組み合わせ再生条件に合致するように変換する。例えば、組み合わせ方法記述データが図８に示す例（全体として３２分８秒分の視聴コンテンツ）であり、組み合わせ再生条件が時間制限＝“００：３０：００．００”（３０分）である場合、記述データ変換部１２２は、組み合わせ再生時間が時間制限以内になるように、素材コンテンツの再生を指定する一つまたは複数のイベント情報を削除する。例えば、記述データ変換部１２２は、少なくとも超過時間（２分８秒）の再生時間長を有する素材コンテンツとして再生順番＝“４”のイベント情報を削除する。これにより、組み合わせ方法記述データは、図１８に示すように、全体として“００：２８：５０．００”（２８分５０秒）分の視聴コンテンツを再生させるデータに変換される。
【０１０６】
以上説明したように、本発明の第４実施形態における放送・配信システムでは、コンテンツ記録再生装置１ｂが、組み合わせ方法記述ファイルサーバ７から取得した組み合わせ方法記述ファイルについて、その組み合わせ方法記述データが予め設定した組み合わせ再生条件に合致したものであるか否かを判定する。そして、コンテンツ記録再生装置１ｂは、取得した組み合わせ方法記述データが組み合わせ再生条件に合致しないと判定した場合は、その組み合わせ再生条件に合致するように組み合わせ方法記述データを変換する。
【０１０７】
よって、第４実施形態における放送・配信システムによれば、視聴者の視聴の条件に合わせた放送コンテンツと素材コンテンツとの組み合わせ再生を行うことができる。
【０１０８】
なお、前述した第１実施形態における、コンテンツ記録再生装置１による組み合わせ再生処理において、組み合わせ再生制御部１０６は、素材コンテンツサーバ８に対する各素材コンテンツの要求時刻を予め計算し、組み合わせ再生中に各要求時刻にしたがって素材コンテンツを取得した。これ以外にも、コンテンツ記録再生装置１は、各素材コンテンツの要求時刻を計算したときに、全ての素材コンテンツまたはその一部分の素材コンテンツをまとめて取得するようにしてもよい。
【０１０９】
また、上述した各実施形態における放送・配信システムは、放送局Ｂが組み合わせ方法記述ファイルサーバ７および素材コンテンツサーバ８を管理する形態であった。これ以外にも、例えば、図１９に示すように、放送局Ｂ以外の第三者（例えば、番組制作会社）が組み合わせ方法記述ファイルサーバ７を管理するようにしてもよい。この場合、素材コンテンツは、ネットワーク３に接続されたサーバ装置やコンピュータ装置等（素材コンテンツサーバ８として図示）に格納された私的利用可能な素材コンテンツである。組み合わせ方法記述ファイルサーバ７を管理する第三者は、放送局から図４に示すような放送コンテンツのシーン構成を示す番組構成表データの供給を受けて、パブリックドメインを含む素材コンテンツを活用した組み合わせ記述ファイルを作成して組み合わせ方法記述ファイルサーバ７に格納する。
【０１１０】
また、図２０に示すように、個人ユーザが組み合わせ方法記述ファイルを作成して組み合わせ方法記述ファイルサーバ７に登録するようにしてもよい。この場合、放送局Ｂは、例えば個人ユーザとの契約によって個人ユーザに対して番組構成表データを提供し、個人ユーザが作成した組み合わせ方法記述ファイルを、自身のコンピュータ１１によって組み合わせ方法記述ファイルサーバ７に格納する。
【０１１１】
また、前述した第２実施形態において、組み合わせ再生制御部１０６ａは、操作制御部１０２から放送コンテンツの番組ＩＤと組み合わせ再生指示との供給を受けると、視聴履歴記憶部１２１の視聴履歴情報から番組の特徴を抽出し、操作制御部１０２から供給された番組ＩＤと番組の特徴とを含めたリスト要求信号を生成してリスト要求信号送信部１０７に供給するようにしてもよい。
【０１１２】
また、コンテンツ記録再生装置１，１ａ，１ｂの一部の制御機能をコンピュータで実現するようにしてもよい。この場合、その制御機能を実現するための組み合わせ再生制御プログラムをコンピュータ読み取り可能な記録媒体に記録して、この記録媒体に記録された組み合わせ再生制御プログラムをコンピュータシステムに読み込ませ、実行することによって実現してもよい。
また、組み合わせ方法記述ファイルサーバ７，７ａ，７ｂの一部の制御機能をコンピュータで実現するようにしてもよい。この場合、その制御機能を実現するためのサーバプログラムをコンピュータ読み取り可能な記録媒体に記録して、この記録媒体に記録されたサーバプログラムをコンピュータシステムに読み込ませ、実行することによって実現してもよい。
なお、ここでいう「コンピュータシステム」とは、ＯＳ（Ｏｐｅｒａｔｉｎｇ  Ｓｙｓｔｅｍ）や周辺装置のハードウェアを含むものである。また、「コンピュータ読み取り可能な記録媒体」とは、フレキシブルディスク、光磁気ディスク、光ディスク、メモリカード等の可搬型記録媒体、コンピュータシステムに内蔵される磁気ハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバ装置やクライアントとなるコンピュータシステム内部の揮発性メモリのように、一定時間プログラムを保持するものを含んでもよい。また上記のプログラムは、前述した機能の一部を実現するためのものであってもよく、さらに前述した機能をコンピュータシステムにすでに記録されているプログラムとの組み合わせにより実現するものであってもよい。
【０１１３】
以上、本発明の実施の形態について図面を参照して詳述したが、具体的な構成はその実施形態に限られるものではなく、本発明の要旨を逸脱しない範囲の設計等も含まれる。
【符号の説明】
【０１１４】
１，１ａ，１ｂ  コンテンツ記録再生装置
２  映像音声出力装置
３  ネットワーク
４  局内ネットワーク
５，６  ファイアウォール
７，７ａ，７ｂ  組み合わせ方法記述ファイルサーバ
８  素材コンテンツサーバ（素材コンテンツ提供装置）
９  放送システム
１０  放送アンテナ
１１  コンピュータ
１０１  操作信号受信部
１０２，１０２ａ  操作制御部
１０３  放送コンテンツ記憶管理部
１０４  放送信号受信部
１０５  放送コンテンツ記憶部
１０６，１０６ａ，１０６ｂ  組み合わせ再生制御部
１０７  リスト要求信号送信部
１０８  リスト受信部
１０９  記述ファイル要求信号送信部
１１０  記述ファイル受信部
１１１  記述ファイル記憶部
１１２  素材コンテンツ要求信号送信部
１１３  素材コンテンツ受信部
１１４  素材コンテンツ記憶部
１１５，１１５ａ  放送コンテンツ再生部
１１６  放送コンテンツ再生監視部
１１７  素材コンテンツ再生部
１１８  素材コンテンツ再生監視部
１１９  再生出力切換部
１２０  映像音声出力部
１２１  視聴履歴記憶部
１２２  記述データ変換部
７０１  記述ファイル格納部
７０２  サマリファイル格納部
７０３，７０３ａ，７０３ｂ  リスト要求信号受信部
７０４  記述ファイル検索部
７０５，７０５ａ，７０５ｂ  リスト作成部
７０６  リスト送信部
７０７  記述ファイル要求信号受信部
７０８  記述ファイル取得部
７０９  記述ファイル送信部
Ｂ  放送局
Ｖ  視聴者宅
Ｗ  放送電波
【図１】
0005452400.tif 000002
【図２】
0005452400.tif 000003
【図３】
0005452400.tif 000004
【図４】
0005452400.tif 000005
【図５】
0005452400.tif 000006
【図６】
0005452400.tif 000007
【図７】
0005452400.tif 000008
【図８】
0005452400.tif 000009
【図９】
0005452400.tif 000010
【図１０】
0005452400.tif 000011
【図１１】
0005452400.tif 000012
【図１２】
0005452400.tif 000013
【図１３】
0005452400.tif 000014
【図１４】
0005452400.tif 000015
【図１５】
0005452400.tif 000016
【図１６】
0005452400.tif 000017
【図１７】
0005452400.tif 000018
【図１８】
0005452400.tif 000019
【図１９】
0005452400.tif 000020
【図２０】
0005452400.tif 000021